(57)【特許請求の範囲】
【請求項１】
電槽の相対向する側壁の外面にそれぞれ係止具を設け、該係止具にベルト状の把手の両端に設けた係合端部を係着して、前記電槽に把手を接続する蓄電池の把手接続構造において、前記把手のベルト部に細幅部を設け、前記係合端部に、前記細幅部より幅広な差し込み部と、該差し込み部の外端に連続して前記係止具の下縁に当接するストッパ部とを設け、前記係止具に、前記側壁の外方へ平行に突出する一対の側片と、該側片の先端から相対向して突出する一対の抜け止め片とを設け、該一対の抜け止め片間に、前記ベルト部の細幅部を内外に抜き差しし得る差し込み溝を設定し、前記一対の側片と一対の抜け止め片の内側に、前記差し込み部を収容し得る収容空間部を形成したことを特徴とする蓄電池の把手接続構造。
【発明の詳細な説明】
【０００１】
【発明の属する技術分野】
本発明は、自動車等の車両を始め、各種産業機械等に用いられる蓄電池を把手で吊下げて持運びするための蓄電池の把手接続構造に関する。
【０００２】
【従来の技術】
蓄電池に把手を取付ける構造として、例えば、実開昭６１−１４４６１号公報に示される技術がある。この技術は、電槽の相対向する側壁の外面に、一体または溶着若しくは接着により固定される係止具と、ベルト部の両端に係合端部を設けたベルト状の把手とからなる構成であって、前記係止具を、電槽の側壁外面に密着して設けられる基片と、該基片の左右両端から側壁に直交して平行に突出する一対の側片と、該側片の先端から相対向して突出する一対の抜け止め片とで構成して、一対の抜け止め片間に、把手のベルト部の幅よりも狭い差し込み溝を設定し、該一対の抜け止め片と一対の側片との内側に、把手の係合端部を収容し得る幅と深さの収容空間部を形成すると共に、前記把手の係合端部に、係止具の基片と一対の抜け止め片の下縁に当接するストッパ部を設けている。
【０００３】
【発明が解決しようとする課題】
しかしながら、蓄電池が例えば自動車用である場合に、蓄電池を把手で吊り下げて持ち運びするのは、ユーザが蓄電池を購入して車体に据え付けするまでで、車体据え付け後にはむしろ把手が邪魔となることが多いため、把手を据え付け後の蓄電池から簡便に取り外せることが望まれるが、係止具の差し込み溝を把手のベルト幅よりも狭く設定した上述の従来技術では、把手のベルト部を撓ませながら係止具の差し込み溝に抜き差ししなければならず、特に蓄電池の設置後に、ベルト部を収容空間部内で撓ませて、幅狭な差し込み溝から引き出すのは容易な作業ではなかった。更に、設置後の蓄電池の周辺スペースが制約されている場合には、把手の取り外しに作業者が係止具まで手を伸ばさなければならないので、一層の困難が伴なった。
【０００４】
そこで本発明は、着脱をワンタッチで簡便に行なうことができて、しかも蓄電池据え付け後の周辺スペースが狭い場合にも、取り外しが容易な蓄電池の把手接続構造を提供することにある。
【０００５】
【課題を解決するための手段】
本発明は、上述の目的に従って、電槽の相対向する側壁の外面にそれぞれ係止具を設け、該係止具にベルト状の把手の両端に設けた係合端部を係着して、前記電槽に把手を接続する蓄電池の把手接続構造において、前記把手のベルト部に細幅部を設け、前記係合端部に、前記細幅部よりも幅広な差し込み部と、該差し込み部の外端に連続して前記係止具の下縁に当接するストッパ部とを設け、前記係止具に、前記側壁の外方へ平行に突出する一対の側片と、該側片の先端から相対向して突出する一対の抜け止め片とを設け、該一対の抜け止め片間に、前記ベルト部の細幅部を内外に抜き差しし得る差し込み溝を設定し、前記一対の側片と一対の抜け止め片の内側に、前記差し込み部を収容し得る収容空間部を形成したことを特徴としている。
【０００６】
かかる構成によれば、把手の着脱には、ベルト部の細幅部を係止具の差し込み溝に合致させ、該差し込み溝に通して、細幅部を撓ませることなく収容空間部に出し入れする。把手の接続では、細幅部を収容空間部に収容したのち、把手のベルト部を引き上げることにより、係合端部の差し込み部を収容空間部に収容し、ストッパ部が係止具の下縁に当接して、係合端部を係止具に係着することにより、把手が接続状態となる。
【０００７】
【発明の実施の形態】
以下、本発明の一形態例を図面に基づいて説明する。
蓄電池１は、直方体形の電槽２に板状の蓋体３を被着してなり、該電槽２に、持ち運び用の把手４が着脱可能に接続されている。
【０００８】
上記把手４は、金属板や合成樹脂板等の若干の弾性力を持つ帯板をコ字状に折曲して、略全体をベルト部４ａとなし、該ベルト部４ａを、電槽２の上部両側から蓋体３の上方をコ字状に囲って取付けられるベルト状部材で、ベルト部４ａの両端には、電槽２の相対向する両側壁２ａ，２ａに突設された係止具５，５に係着される係合端部４ｂ，４ｂが設けられ、蓋体３の上面と対向するベルト部４ａの中央部を握り部４ｃとなすと共に、握り部４ｃと係合端部４ｂ，４ｂとの間に、ベルト部４ａよりも幅狭な細幅部４ｄ，４ｄを設けている。
【０００９】
各係合端部４ｂは、細幅部４ｄよりも幅広な板状の差し込み部４ｅと、該差し込み部４ｅから一側方へ細幅部４ｄと同一幅で突出するガイドブロック４ｆと、該ガイドブロック４ｆ及び差し込み部４ｅのベルト部側に連続するストッパ部４ｇとからなっており、ガイドブロック４ｆの両側に突出する差し込み部４ｅの縁片を係合片４ｈ，４ｈとなしている。ガイドブロック４ｆの細幅部側には、外縁をテーパ状に面取りしたガイド面４ｉが設けられ、またストッパ部４ｇは、差し込み部４ｅより幅広で、且つ差し込み部４ｅにガイドブロック４ｆを加えた厚さと同一厚に形成されている。
【００１０】
前記係止具５は、側壁２ａから外方へ平行に突出する左右一対の側片５ａ，５ａと、該側片５ａ，５ａの先端から相対向して突出する一対の抜け止め片５ｂ，５ｂとからなっており、抜け止め片５ｂ，５ｂの間に、差し込み溝６が設定されると共に、側片５ａ，５ａと抜け止め片５ｂ，５ｂの内側に、収容空間部７が上下に開口して設けられている。
【００１１】
側片５ａ，５ａは、上下長が係合端部４ｂの差し込み部４ｅの長さよりも短く形成され、上縁を電槽２の開口縁に位置合わせして、側面２ａの上部に設けられている。抜け止め片５ｂは、係合端部４ｂのガイドブロック４ｆと略同一の厚さで形成され、また上下長は側片５ａよりも短く形成されていて、側片５ａと下縁同士を面合わせして設けられている。
【００１２】
把手４の細幅部４ｄは、係止具５の抜け止め片５ｂの上下長よりも長く設定されており、抜け止め片５ｂ，５ｂの間には、この細幅部４ｄを内外に抜き差しし得る横幅の差し込み溝６が設定され、また抜け止め片５ｂ，５ｂと側片５ａ，５ａとの内側に、係合端部４ｂの差し込み部４ｅを収容し得る大きさの収容空間部７が形成されている。
【００１３】
本形態例は、以上のように構成されており、蓄電池１に把手４を接続する際には、把手４の細幅部４ｄを係止具５の差し込み溝６の外側に合致させ、該細幅部４ｄを差し込み溝６に差し入れて、収容空間部７内に位置させる（図３）。
【００１４】
次に、把手４のベルト部４ａを引き上げると、細幅部４ｄが収容空間部７を上方へ抜け出て、収容空間部７に係合端部４ｂの差し込み部４ｅが、また差し込み溝６に係合端部４ｂのガイドブロック４ｆがそれぞれ収容され、更にストッパ部４ｇが係止具５の側片５ａ，５ａと抜け止め片５ｂ，５ｂの下縁に当接して、把手４が蓄電池１の電槽２に接続される（図２，図４，図５）。ガイドブロック４ｆのガイド面４ｉは、把手４のベルト部４ａを引き上げる際に、ガイドブロック４ｆを差し込み溝６内へ良好に案内し、また係合端部４ｂの差し込み部４ｅが収容空間部７へ良好に引き込まれて行く。
【００１５】
上述のように、係合端部４ｂを係止具５に係着して電槽２に接続された把手４は、上方への抜けを、ストッパ部４ｇと側片５ａ，５ａと抜け止め片５ｂ，５ｂとの当接によって規制され、外側への抜けを、差し込み部４ｅの係合片４ｈ，４ｈと抜け止め片５ｂ，５ｂとの当接にて規制される。収容空間部７内の差し込み部４ｅは、係止具５の側片５ａ，５ａによって、更に差し込み溝６内のガイドブロック４ｆは、係止具５の抜け止め片５ｂ，５ｂによって、それぞれ蓄電池１の横方向へガタ付かないよう規制される。
【００１６】
また、把手４を電槽２から取り外す場合には、図２，図４，図５の接続状態からベルト部４ａを引き下げて、収容空間部７から差し込み部４ｅを、また差し込み溝６からガイドブロック４ｆをそれぞれ下方へ引きし、収容空間部７内で把手４の細幅部４ｄを差し込み溝６に合致させ、細幅部４ｄを差し込み溝６から外側へ引き出す。
【００１７】
このように本形態例は、把手４を蓄電池１の内外方向と上下方向へ移動させるだけで、蓄電池１への着脱をワンタッチで簡便に行なうことができ、把手の一部を撓ませていた従来に較べて、作業性の大幅な向上と作業時間の短縮が図れる。特に、据え付け後の蓄電池１から把手４を取り外す場合に、蓄電池１の周辺のスペースが制約されていると、従来の把手接続構造では、収容空間部内のベルト部を撓ませるために、作業者が係止具まで手を差し入れることは極めて困難であったが、本形態例は、把手４を蓄電池１の外側へ移動できる僅かなスペースがあれば、把手４を頗る容易に取外すことが可能である。
【００１８】
尚、上述の形態例では、把手の係合端部にガイドブロックを設けて説明したが、本発明はガイドブロックを省略しても差支えない。
【００１９】
【発明の効果】
本発明の蓄電池の把手接続構造は、把手のベルト部に細幅部を設け、把手の係合端部に、細幅部より幅広な差し込み部と、差し込み部の外端に連続して係止具の下縁に当接するストッパ部とを設け、係止具には、電槽の側壁の外方へ平行に突出する一対の側片と、該側片の先端から相対向して突出する一対の抜け止め片とを設け、該一対の抜け止め片間に、前記ベルト部の細幅部を内外に抜き差しし得る差し込み溝を設定し、前記一対の側片と一対の抜け止め片の内側に、係合端部の差し込み部を収容し得る収容空間部を形成したことにより、把手の着脱は、把手を蓄電池の内外方向と上下方向へ移動させるだけのワンタッチ操作で、簡便に行なうことができ、把手の一部を撓ませていた従来に較べて、作業性の大幅な向上と作業時間の短縮が図れる。
【００２０】
特に、据え付け後の蓄電池から把手を取り外す際に、蓄電池の周辺のスペースが狭いと、従来の把手接続構造では、作業者が係止具まで手を差し入れて、収容空間部内のベルト部を撓ませることは極めて困難であったが、本発明では、把手を蓄電池の外側へ移動できる僅かなスペースがあれば、把手を頗る容易に取外すことが可能である。
【図面の簡単な説明】
【図１】本発明の一形態例を示す把手と係止具の分解斜視図
【図２】本発明の一形態例を示す把手を取付けた蓄電池の斜視図
【図３】本発明の一形態例を示す把手取付け途中の要部正面図
【図４】本発明の一形態例を示す把手取付け状態の要部正面図
【図５】本発明の一形態例を示す図４のＶ−Ｖ断面図
【符号の説明】
１…蓄電池
２…電槽
２ａ…側壁
３…蓋体
４…把手
４ａ…ベルト部
４ｂ…係合端部
４ｄ…細幅部
４ｅ…差し込み部
４ｆ…ガイドブロック
４ｇ…ストッパ部
４ｈ…係合片
５…係止具
５ａ…側片
５ｂ…抜け止め片
６…抜け止め片５ｂ，５ｂ間の差し込み溝
７…側片５ａ，５ａと抜け止め片５ｂ，５ｂの内側の収容空間部
【図１】
0003678546.tif 000002
【図２】
0003678546.tif 000003
【図３】
0003678546.tif 000004
【図４】
0003678546.tif 000005
【図５】
0003678546.tif 000006